(57)【特許請求の範囲】
【請求項１】
板状のバックパネルと、前記バックパネルの表面に取り付けられ商品保持部とを備える商品陳列用什器であって、
前記バックパネルには、商品保持部を保持するための貫通孔が設けられており、
前記商品保持部は、
上方が開口し、背面部で前記バックパネルの前記表面に接触する有底箱形形状に構成され、
前記背面部の上縁に連結され、前記貫通孔に挿通してバックパネルと前記商品保持部とを固定する固定部材と、
前記固定部材の端縁から突出するように前記固定部材と一体的に構成され、前記固定部材が貫通孔に挿通されることによって、前記背面部上縁から前記背面部に対して立設されるように設けられた弾性変形可能な押出板とを備えることを特徴とする、商品陳列用什器。
【請求項２】
前記押出板の先端は、前記商品保持部の背面部との間でなす角度が、前記押出板の中間部分と前記背面部との間の角度よりも小さくなるように、折れ曲がって構成されていることを特徴とする請求項１に記載の商品陳列用什器。
【請求項３】
前記固定部材は、前記商品保持部の背面部上縁に屈曲可能に一体的に接続され、
前記押出板は、前記固定部材が設けられている前記背面部上縁に連続して、前記背面部の一部が切り抜かれることにより設けられていることを特徴とする、請求項１又は２に記載の商品陳列用什器。
【請求項４】
前記固定部材は、前記バックパネルの貫通孔に挿通するために、前記背面部に対して折り曲げる折り目によって背面部上縁と屈曲可能に構成され、前記折り目で前記固定部材を折り曲げることにより前記押出板が立ち上がるように構成されていることを特徴とする、請求項３に記載の商品陳列用什器。
【請求項５】
前記固定部材は、さらに前記貫通孔を挿通した部分を前記バックパネルの背面に沿うように、前記バックパネルの背面との交差位置に第２の折り目が設けられていることを特徴とする請求項４に記載の商品陳列用什器。
【請求項６】
前記固定部材は、前記商品保持部と別部材として構成され、前記商品保持部の背面部に固定されるのりしろ部と、一体的に構成された前記押出板を備え、前記のりしろ部は、前記押出板に対して折り曲げられて構成されていることを特徴とする、請求項１又は２に記載の商品陳列用什器。
【請求項７】
前記商品保持部は、前面部と一体的に構成された底面部を備え、前記底板は、前記バックパネルに挿通して前記商品保持部をバックパネルに固定する下部固定部を備えることを特徴とする、請求項１から６のいずれか１つに記載の商品陳列用什器。
【発明の詳細な説明】
【技術分野】
【０００１】
本発明はコンビニエンスストア、スーパーマーケットなどで商店等の商品を陳列するための什器に関し、より詳しくは、前面から商品が売れていく結果、奥に残った商品を前方に押し出すことができる商品の陳列用什器に関する。
【背景技術】
【０００２】
従来、コンビニエンスストア、スーパーマーケット、商店等の小売業において、商品を見易く取り易いように、棚板を用いた商品の陳列法が多く採用されている。当然、商品は前方から取り出され、手前が空いてしまうことになる。顧客に対しては、豊富な在庫が存在するかのように商品を前出しし、常に前面に商品が並んでいることが望ましい。しかしながら、棚の奥の商品を手前に引出す作業は、陳列される商品の種類が多い場合は、手間を要する作業であった。
【０００３】
上記手間を省力化するために、商品の前出しを陳列棚の構成を工夫することによって自動的に行う技術に関しては種々検討されている。例えば、特許文献１に示すようにローラーを用いる方法や、特許文献２に示すように陳列棚の傾斜を利用する方法、特許文献３に示すようなバネ板のような弾性部材を商品の後ろに配置させ、当該弾性部材の弾性力により商品を前に出す方法等があった。
【特許文献１】特開平７−２６０号公報
【特許文献２】実開平７−３４１０号公報
【特許文献３】特開２００１−１７２８１号公報
【発明の開示】
【発明が解決しようとする課題】
【０００４】
しかしながら、ローラーを用いる方法は部品点数が多くなるために器材が高価になるという問題があった。また汚れ等がローラーの回転軸などに付着すると回転力の減少が大きく、軽い商品や袋入りの商品等にはその効果を発揮できない欠点があった。
【０００５】
また、特許文献２の棚板を傾斜させる方法では、商品が高重量物であったり、摩擦抵抗が大きい商品であったりすると所期の効果が得られ難いという欠点があった。また、陳列棚が傾斜して設けられているため、陳列棚の高さ方向の寸法が大きくなるという問題があった。
【０００６】
また、特許文献３などに開示されているバネ板の弾性力を利用して商品を前に送る方法では、バネ板の弾性力による商品の押し出しの調整が必要であった。特許文献３の陳列具は、箱状の本体の側壁である対向する仕切り板を利用して２枚のバネ板を作成しており、バネ板を形成するための切れ目部分後方に商品陳列ができないスペースが形成され、商品の配置スペースが少なくなっていた。
【０００７】
さらに、商品を配置するための陳列棚には、商品陳列用の什器が用いられることが多く、特許文献３に開示されている構成をそのまま用いることができない形状の什器もあった。
【０００８】
したがって、本発明が解決しようとする技術的課題は、上記問題を解消し、簡単な構成で商品の前だしを確実に行うことができる商品陳列用什器を提供することである。
【課題を解決するための手段】
【０００９】
本発明は、上記技術的課題を解決するために、以下の構成の商品陳列用什器を提供する。
【００１０】
本発明の第１態様によれば、板状のバックパネルと、前記バックパネルの表面に取り付けられ商品保持部とを備える商品陳列用什器であって、
前記バックパネルには、商品保持部を保持するための貫通孔が設けられており、
前記商品保持部は、
上方が開口し、背面部で前記バックパネルの前記表面に接触する有底箱形形状に構成され、
前記背面部の上縁に連結され、前記貫通孔に挿通してバックパネルと前記商品保持部とを固定する固定部材と、
前記固定部材の端縁から突出するように前記固定部材と一体的に構成され、前記固定部材が貫通孔に挿通されることによって、前記背面部上縁から前記背面部に対して立設されるように設けられた弾性変形可能な押出板とを備えることを特徴とする、商品陳列用什器を提供する。
【００１１】
本発明の第２態様によれば、前記押出板の先端は、前記商品保持部の背面部との間でなす角度が、前記押出板の中間部分と前記背面部との間の角度よりも小さくなるように、折れ曲がって構成されていることを特徴とする第１態様の商品陳列用什器を提供する。
【００１２】
本発明の第３態様によれば、前記固定部材は、前記商品保持部の背面部上縁に屈曲可能に一体的に接続され、
前記押出板は、前記固定部材が設けられている前記背面部上縁に連続して、前記背面部の一部が切り抜かれることにより設けられていることを特徴とする、第１又は第２態様の商品陳列用什器を提供する。
【００１３】
本発明の第４態様によれば、前記固定部材は、前記バックパネルの貫通孔に挿通するために、前記背面部に対して折り曲げる折り目によって背面部上縁と屈曲可能に構成され、前記折り目で前記固定部材を折り曲げることにより前記押出板が立ち上がるように構成されていることを特徴とする、第３態様の商品陳列用什器を提供する。
【００１４】
本発明の第５態様によれば、前記固定部材は、さらに前記貫通孔を挿通した部分を前記バックパネルの背面に沿うように、前記バックパネルの背面との交差位置に第２の折り目が設けられていることを特徴とする第４態様の商品陳列用什器を提供する。
【００１５】
本発明の第６態様によれば、前記固定部材は、前記商品保持部と別部材として構成され、前記商品保持部の背面部に固定されるのりしろ部と、一体的に構成された前記押出板を備え、前記のりしろ部は、前記押出板に対して折り曲げられて構成されていることを特徴とする、第１又は第２態様の商品陳列用什器を提供する。
【００１６】
本発明の第６態様によれば、前記商品保持部は、前面部と一体的に構成された底面部を備え、前記底板は、前記バックパネルに挿通して前記商品保持部をバックパネルに固定する下部固定部を備えることを特徴とする、第１から第６態様のいずれか１つの商品陳列用什器を提供する。
【発明の効果】
【００１７】
本発明によれば、押出板は、背面部に対して後方に交差する方向に設けられた固定部材と一体的に構成されているため、商品保持部の上縁方向に常時付勢された状態となっており、また、固定部材に対して折り曲げられていないため、その付勢力を強く維持することができる。
【００１８】
また、本発明の第２態様によれば、先端の傾斜角度が小さく構成されることにより、商品背面と押出板との接触面積を大きくすることができ、押出板の付勢力によって商品背面に傷がつくことを防止することができる。
【００１９】
本発明の第３態様によれば、商品保持部の背面部の一部を切り抜くことにより押出板を構成しているため、固定部材と一体的に構成される押出板を簡単に作成することができる。
【００２０】
本発明の第４態様によれば、固定部材を商品保持部の背面上縁に設けられた折り目により折り曲げ可能に構成するとともに、折り目によって折り曲げることで、押出板を立ち上げるようにしているため、簡単な構成で押出板の立ち上げと、商品保持部とバックパネルへの固定を実現することができる。
【００２１】
本発明の第５態様によれば、第２の折り目で固定部材をさらに折り曲げることで、固定部材のバックパネル背面からの突出部分をバックパネル背面に沿って配置することができ、商品保持部とバックパネルへの固定を強固にすることができる。
【００２２】
本発明の第６態様によれば、固定部材を商品保持部と別に構成することで、上面が開口した単なる箱形状の部材を商品保持部として使用することができ、また、固定部材と一体的に構成された押出板により商品の前出しを実現することができる。
【００２３】
本発明の第７態様によれば、底板に下部固定部を設けることにより、商品保持部とバックパネルをより強固に固定することができる。
【発明を実施するための最良の形態】
【００２４】
以下、本発明の各実施形態に係る商品陳列用什器について、図面を参照しながら説明する。
【００２５】
（第１実施形態）
図１は、本発明の第１実施形態にかかる商品陳列用什器の構成を示す斜視図である。本実施形態にかかる商品陳列用什器１は、棚板の上に立てたり、紐４などを用いて壁などに掛けたりして陳列するための商品陳列用什器である。
【００２６】
商品陳列用什器１は、図１に示すように、バックパネル２の表面２０Ａに３つの商品保持部３が固定された構造を有する。バックパネル２は、陳列する商品に関連する装飾がなされた、例えば発泡スチロールや厚紙などの材料で構成された板状の本体２０を備える。本体２０は、その裏面２０Ｂ（図７参照）に、本体２０を立てた状態に保持するための折り畳み可能な脚部２４が取り付けられている。また、壁掛け用の紐４を通すための、通し孔２６が本体２０の上方に設けられている。
【００２７】
商品保持部３は、本実施形態においては、バックパネル２の本体２０の表面２０Ａの３箇所に固定されている。なお、商品保持部３の数は特に限定されるものではない。商品保持部３は、上方が開口した箱形状の部材であり、例えば、ＰＥＴなどの弾性変形可能な合成樹脂などで製造されている。なお、本実施形態では、商品保持部３の材料として、アクリル樹脂が用いられている。商品保持部３は、商品を開口部分から収納して保持するとともに、顧客によって上から商品を自由に取り出せるようになっている。
【００２８】
本実施形態では、１つの商品保持部３の内部が２つの仕切り板４１によって三等分されており、それぞれ分割された商品保持空間３Ａ，３Ｂ，３Ｃが形成されている。それぞれの商品保持空間３Ａ，３Ｂ，３Ｃの幅寸法は、保持される商品の幅寸法と同寸に構成されていることが好ましい。
【００２９】
商品保持部３の商品保持空間３Ａ，３Ｂ，３Ｃには、バックパネル２の表面側から、空間内部に向かって延在する押出板３２が設けられている。押出板３２は、商品保持空間３Ａ，３Ｂ，３Ｃに保持される商品を背面側から押出し、商品を前出しするとともに、商品保持空間３Ａ，３Ｂ，３Ｃ内で転倒しないように支承するための部材である。押出板３２の構成及び機能については後述する。
【００３０】
図２は、図１の商品陳列用什器のバックパネルの平面図である。バックパネル２の本体２０には、商品保持部３を固定するための貫通孔２１，２２が設けられている。貫通孔２１，２２は、本体２０の表面に位置する商品保持部取り付け領域２３Ａ，２３Ｂ，２３Ｃのそれぞれの上側に沿って３箇所に設けられた上側貫通孔２１と、商品保持部取り付け領域２３Ａ，２３Ｂ，２３Ｃのそれぞれの下側に沿って２箇所に設けられた下側貫通孔２２が設けられている。なお、第３の商品保持部取り付け領域２３Ｃは、下側貫通孔が設けられておらず、後述するように、下側固定部材３８が、本体２０の下端に沿うように配置されて商品保持部３を固定する。
【００３１】
図３は、図１の商品陳列用什器の商品保持部の構成を示す斜視図である。図４は、図１の商品陳列用什器の商品保持部の展開図である。図５は、図１の商品陳列用什器の商品保持部とバックパネルの固定構造を示す部分断面図である。
【００３２】
商品保持部３は、背面壁３３Ｂ、前面壁３３Ｆ、右側面壁３３Ｒ，左側面壁３３Ｌ，底面壁３３Ｄを備えた上部開口の箱状形状の部材である。商品保持部３は、図４のように展開された１枚の樹脂板を折り曲げ辺Ｆで折り曲げ、のりしろ部３３Ｗで接着することによって箱状に組み立てられる。
【００３３】
前面壁３３Ｆの表面には、商品保持部３に保持される商品に関連する情報、例えば、保持される商品のパッケージデザインなどが印刷されていてもよい。このように、商品に関連する情報を印刷することにより、例えば、商品が商品保持空間に保持されていない場合であっても、商品の情報を顧客に伝達することができ、また、販売店も、商品の補充場所を間違えたりすることが防止できる。
【００３４】
商品保持部３の背面壁３３Ｂは、バックパネル２への固定時に本体２０の表面２０Ａと接触する面である。背面壁３３Ｂの上縁３４には、それぞれの商品保持空間３Ａ，３Ｂ，３Ｃに対応して、上部固定部材３１が設けられている。
【００３５】
上部固定部材３１は、その幅方向両端に位置する折り目３４Ａによって折り曲げられて背面壁３３Ｂに対して立設するように配置される。また、上部固定部材３１には、幅方向中央部に押出板３２が一体的に設けられている。押出板３２は、背面壁３３Ｂの上縁から下方に延在する切り抜き線３２Ａによって切り抜かれることによって、上部固定部材３１と一体的に構成される。よって、上部固定部材３１が折り目３４Ａによって折り曲げられたとき、上部固定部材３１の背面側への折り曲げに伴って、前面側へ立ち上がる（図５参照）。
【００３６】
押出板３２の長さ寸法は、商品保持部３の奥行き寸法及び高さ寸法に応じて適宜設計すればよい。すなわち、商品保持部の奥行き寸法が短い場合、押出板３２を必要以上に長く構成すると、押出板３２の立ち上げ時に前面壁３３Ｆに当接する一方、後述する弾性変形時に、底面壁３３Ｄにその先端が干渉して商品収納の邪魔となることがある。
【００３７】
矢印７１に示すように、バックパネルの貫通孔２１へ挿通された上部固定部材は、上部固定部材とハックパネル背面との交差位置に設けられた折り目３４Ｂにより再度下側へ折り曲げられバックパネルの背面に沿った状態で固定される。すなわち、折り目３４Ａと折り目３４Ｂとの間隔はバックパネル本体２０の板厚とほぼ同寸法に構成されている。
【００３８】
なお、押出板３２の立ち上げに伴い、図３に示すように、背面壁３３Ｂには、押出板３２が切り出された切り抜き孔３２Ｂが形成される。しかし、上記のように、バックパネル２の表面と接触して固定されているため、切り抜き孔３２Ｂはバックパネル２の表面によって、閉じられており、商品などが切り抜き孔３２Ｂから落下することがない。
【００３９】
押出板３２は、上部固定部材３１と一体的に構成されているため、商品保持部３の上縁方向に常時付勢された状態となっており、また、上部固定部材３１に対して折り曲げられていないため、その付勢力を強く維持することができる。また、押出板３２の先端には、押出板３２を折り曲げることによって形成される先端部３２Ｔが設けられている。先端部３２Ｔについての詳細は後述する。
【００４０】
背面壁３３Ｂの図示下端には中底３６が設けられている。また、前面壁３３Ｆの図示下端には底板３５が設けられている。また、右側面壁３３Ｒと左側面壁３３Ｌの下端には、それぞれ底板補助板３３Ｈ，３３Ｇが設けられており、両側面壁３３Ｒ，３３Ｌと底面壁３３Ｄとの密着を強くすることができる。
【００４１】
中底３６、底板補助板３３Ｈ，３３Ｇ、底板３５は、商品保持部３の組み立て時において、上からこの順序で互いに重なり底面壁３３Ｄを構成する。また、底面壁３３Ｄは、中底３６と底板３５の間に、仕切り板４０を保持することができる。なお、仕切り板４０は、商品保持部３と脱着可能に構成されており、保持される商品の外装寸法に応じて使用しなくてもよい。
【００４２】
底板３５の図示下端には、下部固定部材３８が２箇所に設けられている。下部固定部材３８は、矢印７１に示すように、バックパネル２の本体の貫通孔２２に挿通されることによって、商品保持部３をバックパネルに固定する。なお、バックパネルの貫通孔２２に挿通された下部固定部材３８は、折り目Ｆによって上側へ折り曲げられ、バックパネルの本体２０の裏面側２０Ｂに固定される。
【００４３】
このように、商品保持部３の底面壁３３Ｄは、商品保持部の前面壁３３Ｆ及びバックパネル本体２０によって両側から固定されているため、底面壁３３Ｄを丈夫に構成することができ、商品保持部３の強度を向上させることができる。
【００４４】
なお、図２に示した通り、バックパネル２の最も下方に設けられる商品保持部３の下部固定部材３８は、バックパネル２本体２０の下縁に沿って配置される。
【００４５】
図６Ａは仕切り部材４０の取り付け構造を示す部分平面図であり、図６Ｂは、図３のVIB−VIB断面図である。図４及び図６Ａに示すように中底３６には、２箇所に仕切り板４１を通すための仕切り板保持孔３７が設けられている。仕切り板保持孔３７は、端部３７Ａが細くなった形状であり、中間部３７Ｂが幅広に構成されている。中間部３７Ｂの幅寸法は、仕切り部材４０の厚み寸法よりも大きく構成されていると共に、先端部３７Ａは、仕切り部材４０の厚み寸法よりも小さく構成されている。
【００４６】
また、仕切り板保持孔３７の奥行き寸法は、仕切り板４０の奥行き寸法とほぼ同じ寸法に構成されている。したがって、仕切り板４１を仕切り板保持孔３７に挿通した場合、仕切り板４１の端部が仕切り板保持孔３７の端部３７Ａによって係合されることとなる。
【００４７】
また、図６Ｂに示すように、仕切り部材４０は、合成樹脂や金属などの１枚の板の両端をコの字状に折り曲げ、立ち上がった部分を仕切り板４１とする構成である。したがって、仕切り板４１の間に挟まれる基台部４２の寸法、すなわち、折り目４３の位置と、仕切り板保持孔３７の位置によって仕切り板４１を両者で保持し、底板３３Ｄに対して、立設した状態に保持することができる。したがって、１枚の板を折り曲げて作成した仕切り部材４０によって製作された仕切り板４１が、折り目での立ち上げ角度が緩やかに戻り、仕切り板の立ち上げ角度が緩くなることを防止することができる。
【００４８】
また、仕切り部材４０は、中底３６と底板３５に挟まれるように保持されており、基台部４２が両者の間で位置ずれをおこすようなことがない。また、例えば、底板補助板３３Ｈの長さ寸法を調整し、その先端が、仕切り部材４０の折り目４３近辺に位置するように構成することにより、中底３６と底板３５の間の隙間を充填することができ、底板ががたつくことを防止することができる。
【００４９】
図７は、図１の商品陳列用什器が商品を陳列している状態を示す部分拡大図である。図７に示すように、商品陳列用什器１は、商品を商品保持部３の商品保持空間３Ａ，３Ｂ，３Ｃに立てた状態で保持する。このとき、押出板３２は、最も背面側に位置する商品１００の背面１０１によりバックパネル２側に弾性変形される。
【００５０】
この押出板３２の反発力により、商品１００を前面に付勢することができる。そして、前方に位置する商品１００が取り出されたとき、当該反発力により商品を商品の前面１０２が、前面壁３３Ｆに接触するまで矢印７０の方向へ押し出す。これにより、商品の前出しを容易にすることができる。
【００５１】
また、上記のように押出板３２は、上部固定部材３１と一体的に構成されており、その初期形状は、バックパネルに対して立ちあがる方向であるから、その反発力を大きくすることができる。なお、押出板３２の先端に設けられている先端部３２Ｔは、押出板が立ち上がったときでも、商品１００の背面１０１と押出板３２との接触面積を大きくすることで、押出板の反発力により商品の背面１０１に傷が付かないようにするために設けられている。
【００５２】
以上、本実施形態にかかる商品陳列用什器１によれば、バックパネル２と商品保持部３の連結に用いる上部固定部材３１と一体的に設けられた押出板３２により商品の前出しを行うようにしているため、押出板３２の反発力を強く維持することができる。また、上部固定部材は、商品保持部３の背面上縁と一体的に構成されているため、バックパネル２への保持のための折り曲げを利用して押出板３２の立ち上げを実現することができる。
【００５３】
（第２実施形態）
次に、本発明の第２実施形態について説明する。第２実施形態にかかる商品陳列用什器５０は、基本的構成を図１に示す商品陳列用什器１と共通にするため、異なる点を中心に説明する。
【００５４】
図８は、本発明の第２実施形態にかかる商品陳列用什器の商品保持部の構成を示す斜視図である。図９は、図８の商品陳列保持部の断面形状を示す図である。図８に示す商品保持部５０は、箱状部５５の背面壁５５Ｂの上縁５４に沿って箱状部５５とは別部材として構成された上部固定部材５１を固定する点において、第１実施形態における商品保持部３と構成を異にする。
【００５５】
上部固定部材５１は、両端に設けられたのりしろ部５２とその間に設けられた押出板５３を備える。のりしろ部５２は、図８に示すように、下方に折り曲げられ、箱状部５５の背面壁５５Ｂに貼り付けられて固定される。
【００５６】
また、上部固定部材５１は、第１実施形態と同様に、背面壁５５Ｂに対して後方に交差する方向に立ち上げた状態で保持されるため、押出板５３はこれに伴い、前方へ起き上がるように配置される。このため、商品を押出板５３によって前方に押し出すための反発力を強くすることができる。
【００５７】
以上説明したように、本実施形態にかかる商品陳列用什器によれば、簡単な構成で強い反発力を有する押出板を用いて商品の前出しを確実に行うことができる。
【００５８】
なお、本発明は上記実施形態に限定されるものではなく、その他種々の態様で実施可能である。例えば、押出板は、１つの商品保持空間に１つずつ設けられている必要はなく、複数設けられていてもよい。また、商品保持部は、複数の商品保持空間を備えている必要はなく、１つのみであってもよい。
【００５９】
さらに、押出板は、一体的に構成されている上部固定部が背面壁に対する折り曲げに応じて立ち上がるように、構成されていれば、特にその位置は限定されるものではなく、例えば、１つの上部固定部の両端を押出板とし、中間部分で背面壁の上縁と連結するように構成されていてもよい。
【産業上の利用可能性】
【００６０】
本発明にかかる商品陳列用什器は、簡単な構成で強い反発力を有する押出板を用いて商品の前出しを確実に行うことができるため、コンビニエンスストア、スーパーマーケット、商品などの小売業において、商品を前出しして、顧客の商品購入意欲を喚起することができる点で有用である。
【図面の簡単な説明】
【００６１】
【図１】本発明の第１実施形態にかかる商品陳列用什器の構成を示す斜視図である。
【図２】図１の商品陳列用什器のバックパネルの平面図である。
【図３】図１の商品陳列用什器の商品保持部の構成を示す斜視図である。
【図４】図１の商品陳列用什器の商品保持部の展開図である。
【図５】図１の商品陳列用什器の商品保持部とバックパネルの固定構造を示す部分断面図である。
【図６Ａ】仕切り部材の取り付け構造を示す部分平面図である。
【図６Ｂ】図３のVIB−VIB断面図である。
【図７】図１の商品陳列用什器が商品を陳列している状態を示す部分拡大図である。
【図８】本発明の第２実施形態にかかる商品陳列用什器の商品保持部の構成を示す斜視図である。
【図９】図８の商品陳列保持部の断面形状を示す図である。
【符号の説明】
【００６２】
１、５０  商品陳列用什器
２  バックパネル
３、５５  商品保持部
３Ａ，３Ｂ，３Ｃ  商品保持空間
４  紐
２０  本体
２０Ａ  本体表面
２１、２２  貫通孔
２３Ａ，２３Ｂ，２３Ｃ  商品保持部取り付け領域
３１、５１  上部固定部
３２  押出板
３２Ｔ  先端部
３３Ｂ  背面壁
３３Ｆ  前面壁
３３Ｒ  右側面壁
３３Ｌ  左側面壁
３３Ｄ  底面壁
３３Ｈ，３３Ｇ  底板補助板
３３Ｗ  のりしろ部
３４  上縁
３４Ａ、Ｆ  折り目
３５  底板
３６  中底
３８  下側固定部材
４０  仕切り部材
４１  仕切り板
４２  基台部
【図１】
0005004764.tif 000002
【図２】
0005004764.tif 000003
【図３】
0005004764.tif 000004
【図４】
0005004764.tif 000005
【図５】
0005004764.tif 000006
【図６Ａ】
0005004764.tif 000007
【図６Ｂ】
0005004764.tif 000008
【図７】
0005004764.tif 000009
【図８】
0005004764.tif 000010
【図９】
0005004764.tif 000011